(57)【特許請求の範囲】
【請求項１】
撮像手段と、
前記撮像手段において動画像の撮像中に、前記撮像手段で撮像した動画像とともに、該動画像に重畳した表示アイテムを記録するように制御する記録制御手段と、
前記撮像手段において前記動画像の撮像中に特定の撮像条件が変更されると、前記記録制御手段で動画とともに記録していた前記表示アイテムを記録しないように制御する制御手段と
を有することを特徴とする撮像装置。
【請求項２】
前記記録制御手段は、前記動画像に前記表示アイテムが重畳された映像データを記録するように制御することを特徴とする請求項１に記載の撮像装置。
【請求項３】
前記記録制御手段は、前記表示アイテムを重畳していない動画像とともに、前記表示アイテムを重畳すべき該動画像の位置を示す情報に関連付けて記録することを特徴とする請求項１に記載の撮像装置。
【請求項４】
前記撮像手段での前記動画像の撮像中に、前記動画像に前記表示アイテムを重畳して表示手段に表示するように制御する表示制御手段を更に有し、
前記制御手段は、前記撮像手段での前記動画像の撮像中に特定の撮像条件が変更されると、前記表示制御手段で前記動画像に重畳して表示していた前記表示アイテムを消去するように制御することを特徴とする請求項１乃至３のいずれか１項に記載の撮像装置。
【請求項５】
前記動画像についてそのフォーカス位置を制御するフォーカス制御手段と、
前記フォーカス制御手段によるフォーカス位置の変化量が所定のフォーカス変化量よりも変化した際、前記特定の撮像条件が変更されたと判定するフォーカス判定手段とを備えることを特徴とする請求項１乃至４のいずれか１項に記載の撮像装置。
【請求項６】
前記動画像についてズームを行うズーム制御手段と、
前記ズーム制御手段によってズームが行われた際、当該ズームの変化量が所定のズーム変化量よりも変化した場合に前記特定の撮像条件が変更されたと判定するズーム判定手段とを有することを特徴とする請求項１乃至５のいずれか１項に記載の撮像装置。
【請求項７】
前記動画像についてその露出を制御する露出制御手段と、
前記露出制御手段によって露出の変更が行われた際、当該露出の変化量が所定の露出変化量よりも変化した場合に前記特定の撮像条件が変更されたと判定する露出判定手段とを有することを特徴とする請求項１乃至６のいずれか１項に記載の撮像装置。
【請求項８】
前記動画像についてそのホワイトバランスを制御するホワイトバランス制御手段と、
前記ホワイトバランス制御手段によってホワイトバランスの変更が行われた際、当該ホワイトバランスの変化量が所定のホワイトバランス変化量よりも変化した場合に前記特定の撮像条件が変更されたと判定するホワイトバランス判定手段とを有することを特徴とする請求項１乃至７のいずれか１項に記載の撮像装置。
【請求項９】
前記動画像において人物の顔を検知する顔検知手段と、
前記顔検知手段によって前記動画像において顔が検知されると前記特定の撮像条件が変更されたと判定する顔判定手段とを有することを特徴とする請求項１乃至８のいずれか１項に記載の撮像装置。
【請求項１０】
前記撮像装置の動きを検知する動き検知手段と、
前記動き検知手段によって前記撮像装置の動きが検知された際、当該動きの変化量が所定の動き変化量よりも変化した場合に前記特定の撮像条件が変更されたと判定する動き判定手段とを有することを特徴とする請求項１乃至９のいずれか１項に記載の撮像装置。
【請求項１１】
前記動画像とともに前記表示アイテムの記録を開始してからの経過時間を計時する計時手段を有し、
前記制御手段は、前記計時手段によって計時された経過時間が所定の時間未満であると、前記特定の撮像条件の変更に拘わらず、前記記録制御手段で動画とともに記録していた前記表示アイテムの記録を継続することを特徴とする請求項１乃至１０のいずれか１項に記載の撮像装置。
【請求項１２】
前記動画像とともに前記表示アイテムの記録を開始からの経過時間を計時する計時手段を有し、
前記制御手段は、前記計時手段によって計時された経過時間が所定の時間以上であると、前記特定の撮像条件の変更に拘わらず、前記記録制御手段で動画とともに記録していた前記表示アイテムを記録しないように制御することを特徴とする請求項１乃至１１のいずれか１項に記載の撮像装置。
【請求項１３】
前記所定の時間を設定するための時間設定手段を有することを特徴とする請求項１１又は１０記載の撮像装置。
【請求項１４】
前記表示アイテムの自動消去を設定するための自動消去設定手段を備え、
前記制御手段は、前記自動消去設定手段によって自動消去が設定されていると、前記特定の撮像条件の変更に応じて前記記録制御手段で動画とともに記録していた前記表示アイテムを記録しないようにする制御を実行することを特徴する請求項１乃至１３のいずれか１項に記載の撮像装置。
【請求項１５】
前記表示アイテムの消去を行うための消去入力手段を有し、
前記消去入力手段が操作されると、前記制御手段は、前記特定の撮像条件の変更に拘わらず前記記録制御手段で動画とともに記録していた前記表示アイテムを記録しないように制御することを特徴とする請求項１乃至１４のいずれか１項に記載の撮像装置。
【請求項１６】
前記表示アイテムの入力をユーザーから受付ける受付手段を更に有することを特徴とする請求項１乃至１５のいずれか１項に記載の撮像装置。
【請求項１７】
前記受付手段はタッチパネルであり、
前記表示アイテムは前記タッチパネルで受付けたユーザーの手書きによって生成される表示アイテムであることを特徴とする請求項１６に記載の撮像装置。
【請求項１８】
撮像手段を有する撮像装置の制御方法であって、
前記撮像手段において動画像の撮像中に、前記撮像手段で撮像した動画像とともに、該動画像に重畳した表示アイテムを記録するように制御する記録制御ステップと、
前記撮像手段において前記動画像の撮像中に特定の撮像条件が変更されると、前記記録制御ステップで動画とともに記録していた前記表示アイテムを記録しないように制御する制御ステップと
を有することを特徴とする撮像装置の制御方法。
【請求項１９】
撮像手段を有する撮像装置の制御方法をコンピュータに実行させるプログラムであって、
前記撮像装置の制御方法は、
前記撮像手段において動画像の撮像中に、前記撮像手段で撮像した動画像とともに、該動画像に重畳した表示アイテムを記録するように制御する記録制御ステップと、
前記撮像手段において前記動画像の撮像中に特定の撮像条件が変更されると、前記記録制御ステップで動画とともに記録していた前記表示アイテムを記録しないように制御する制御ステップと
を有することを特徴とするプログラム。
【請求項２０】
請求項１９に記載のプログラムが記憶されたコンピュータ読取可能な記憶媒体。
【請求項２１】
撮像手段において動画像の撮像中に、前記動画像とともに、該動画像に重畳した表示アイテムを記録するように制御する記録制御手段と、
前記記録制御手段において前記動画像の記録中に、該動画像を解析した結果が特定の条件を満たすと、前記記録制御手段で動画とともに記録していた前記表示アイテムを記録しないように制御する制御手段と
を有することを特徴とする動画記録装置。
【請求項２２】
前記動画像を解析して特定の被写体を検知する被写体検知手段を更に有し、
前記特定の条件は、前記被写体検知手段で前記特定の被写体を検知したことであることを特徴とする請求項２１に記載の動画記録装置。
【請求項２３】
前記特定の被写体は人物の顔であることを特徴とする請求項２２に記載の動画記録装置。
【請求項２４】
撮像手段において動画像の撮像中に、前記動画像とともに、該動画像に重畳した表示アイテムを記録するように制御する記録制御ステップと、
前記記録制御ステップにおいて前記動画像の記録中に、該動画像を解析した結果が特定の条件を満たすと、前記記録制御ステップで動画とともに記録していた前記表示アイテムを記録しないように制御する制御ステップと
を有することを特徴とする動画記録装置の制御方法。
【請求項２５】
動画記録装置の制御方法をコンピュータに実行させるプログラムであって、
前記動画記録装置の制御方法は、
撮像手段において動画像の撮像中に、前記動画像とともに、該動画像に重畳した表示アイテムを記録するように制御する記録制御ステップと、
前記記録制御ステップにおいて前記動画像の記録中に、該動画像を解析した結果が特定の条件を満たすと、前記記録制御ステップで動画とともに記録していた前記表示アイテムを記録しないように制御する制御ステップと
を有することを特徴とするプログラム。
【請求項２６】
請求項２５に記載のプログラムが記憶されたコンピュータ読取可能な記憶媒体。
【発明の詳細な説明】
【技術分野】
【０００１】
本発明は動画像が記録可能なビデオカメラなどの撮像装置及びその制御方法、動画記録装置並びにその制御方法、プログラム、並びに記憶媒体に関し、特に、動画像に当該動画像を特定するタイトルなどの表示アイテムを重畳して撮影・記録する動画像の重畳制御を行う撮像装置及びその制御方法、動画記録装置並びにその制御方法、プログラム、並びに記憶媒体に関する。
【背景技術】
【０００２】
一般に、ビデオカメラなどの撮像装置で撮影した動画像（動画ともいう）の作品性を高めるため、動画に映像効果を付加することがある。例えば、動画にタイトル、字幕、又はキャプションなどの文字列を映像効果として重畳することがある。また、動画に静止した図形又はアニメーションを行う図形を映像効果として重畳することがある。
【０００３】
上記のような映像効果は、ユーザが必要に応じて消去できるようにする必要がある。このため、撮像装置では、ユーザが意図するタイミングでボタンなどの操作部を操作して映像を消去することが可能となっている。
【０００４】
ところが、動画撮影中に映像効果を消去しようとすると、ユーザは別にボタン操作を行なければならず、このためユーザは撮影に集中できずに撮影を失敗してしまう可能性がある。
【０００５】
一方、映像効果を動画に重畳した後、一定の時間が経過すると自動的に映像効果を消去するようにすると、ユーザが意図するタイミングで映像効果の消去が行われるとは限らない。このような理由から、撮影状態に応じて映像効果を自動的に消去する機能が望まれている。
【０００６】
映像効果を自動的に動画に重畳させる手法として、例えば、被写体の動きおよび被写体の加速度に同期して、タイトル画又は音声などの映像効果を重畳させるようにしたものがある（特許文献１参照）。
【先行技術文献】
【特許文献】
【０００７】
【特許文献１】特開平６−２６１２７６号公報
【発明の概要】
【発明が解決しようとする課題】
【０００８】
ところが、特許文献１に記載の手法では、被写体に動きがある場合にのみ有効であって、被写体の動きが無い景色などを撮影している場合には自動的に映像効果を消去することができないという課題がある。
【０００９】
本発明の目的は、被写体の動きに拘わらずユーザの意図するタイミングで動画に重畳された映像効果を消去することのできる撮像装置及びその制御方法、動画記録装置並びにその制御方法、プログラム、並びに記憶媒体を提供することにある。
【課題を解決するための手段】
【００１０】
上記の目的を達成するため、本発明による撮像装置は、撮像手段と、前記撮像手段において動画像の撮像中に、前記撮像手段で撮像した動画像とともに、該動画像に重畳した表示アイテムを記録するように制御する記録制御手段と、前記撮像手段において前記動画像の撮像中に特定の撮像条件が変更されると、前記記録制御手段で動画とともに記録していた前記表示アイテムを記録しないように制御する制御手段とを有することを特徴とする。
【発明の効果】
【００１１】
本発明によれば、被写体の動きに拘わらずユーザの意図するタイミングで動画像に重畳された映像効果を消去することができる。
【図面の簡単な説明】
【００１２】
【図１】本発明の実施の形態による撮像装置の１つであるデジタルビデオカメラの構成の一例を示すブロック図である。
【図２】図１に示すカメラにおいてタイトルの手描き入力およびカメラスルー画にタイトルを重畳する手順の一例を説明するための図であり、  （ａ）はカメラモードの記録一時停止中に表示部に表示される画面を示す図、（ｂ）は手描きモードにおいて表示部に表示される画面を示す図、（ｃ）は手描きモードにおいて画面上に描かれた手書きタイトルの一例を示す図、（ｄ）は手描きタイトルが描かれた状態で手描きモードからカメラモードの記録一時停止状態に戻った際の画面を示す図である。
【図３】図１に示すカメラにおいて手描き重畳記録を行う際のメニュー設定を説明するための図であり、（ａ）はカメラ設定メニュー画面を示す図、（ｂ）は手描きデータ記録設定画面を示す図、（ｃ）は詳細設定画面を示す図である。
【図４】図１に示すカメラにおいて遠景画像がタイトルの背景である場合にタイトル消去を自動実行する際の画面表示を説明するための図であり、（ａ）は記録一時停止中の画面の一例を示す図、（ｂ）は手描き入力モードにおいてタイトルを新規作成又は読み出した状態を示す図、（ｃ）は記録開始後において背景の画像にタイトルが重畳された動画の１シーンを示す図、（ｄ）はタイトルの消去処理が行われた後に画面を示す図である。
【図５】図１に示すカメラにおいて動画に重畳されたタイトルの消去を説明するためのフローチャートである。
【図６】図５に示す自動消去条件判断処理を詳細に説明するためのフローチャートである。
【発明を実施するための形態】
【００１３】
以下、本発明の実施の形態による撮像装置について図面を参照して説明する。
【００１４】
図１は、本発明の実施の形態による撮像装置の１つであるデジタルビデオカメラの構成の一例を示すブロック図である。
【００１５】
図１において、図示のデジタルビデオカメラ（以下単にカメラと呼ぶ）１００は、撮影レンズ１０４、シャッター１０５、および撮像部１０６を有している。撮影レンズ１０４はフォーカスレンズを含まれている。また、シャッター１０５は絞りおよびＮＤフィルター機能を備えている。撮像部１０６は光学像を電気信号（アナログ画像信号）に変換するＣＣＤ又はＣＭＯＳ素子等で構成されている。撮像部１０６から出力される電気信号はＡ／Ｄ変換器１０７によってデジタル信号（デジタル画像信号）に変換する。
【００１６】
なお、カメラ１００にはバリア１０３が備えられており、このバリア１０３は撮影レンズ１０４を含む撮像部１０６を覆い、撮影レンズ１０４、シャッター１０５、および撮像部１０６を含む撮像系の汚れおよび破損を防止する。
【００１７】
Ａ／Ｄ変換器１０７の出力、つまり、デジタル信号は画像処理部１０２に与えられる。画像処理部１０２は、デジタル信号に対して所定の画素補間および画像縮小などのリサイズ処理と色変換処理とを行って画像データを出力する。
【００１８】
なお、画像処理部１０２はメモリ制御部１０８から与えられる画像データに対しても上述の処理を行う。
【００１９】
さらに、画像処理部１０２は、画像データに応じて所定の演算処理を行い、当該演算処理によって得られた演算結果に基づいて、システム制御部１０１は露光制御および測距制御を行う。つまり、ここでは、システム制御部１１０はＴＴＬ（スルー・ザ・レンズ）方式のＡＦ（オートフォーカス）処理およびＡＥ（自動露出）処理を行う。
【００２０】
ＡＥ処理においては、シャッタースピード、絞り、およびＮＤフィルターの制御と画像処理部１０２における画像信号のゲイン制御が行われる。加えて、画像処理部１０２は、前述の演算結果に基づいてＴＴＬ方式のＡＷＢ（オートホワイトバランス）処理も行う。
【００２１】
通常、動画撮影モードにおいては、ＡＦ処理、ＡＥ処理、およびＡＷＢ処理はリアルタイムに実行される。また、ＡＦ処理、ＡＥ処理、およびＡＷＢ処理に係るオート設定を解除した際には、マニュアルによる設定が可能となる。
【００２２】
ところで、Ａ／Ｄ変換器１０７の出力は、前述のように、画像処理部１０２で処理された後、メモリ制御部１０８によって画像データとしてメモリ１０９に書き込まれる。なお、Ａ／Ｄ変換器１０７の出力は、メモリ制御部１０８を介して直接画像データとしてメモリ１０９に書き込まれることもある。
【００２３】
メモリ１０９は、所定時間の動画像および音声を格納するための十分な記憶容量を備えている。図示の例では、メモリ１０９は画像表示用のメモリ（ビデオメモリ）を兼ねている。
【００２４】
メモリ制御部１０８は、メモリ１０９に格納されている画像表示用の画像データをＤ／Ａ変換器１１０でアナログ画像信号に変換して表示部１１１に与える。表示部１１１は、例えば、ＬＣＤ（液晶ディスプレイ）であり、Ｄ／Ａ変換器１１０から出力されたアナログ画像信号に応じて画像表示を行う。
【００２５】
前述のように、Ａ／Ｄ変換器１０７によってＡ／Ｄ変換された画像データをメモリ１０９に蓄積する。そして、メモリ１０９に蓄積された画像データをＤ／Ａ変換部１１０によってアナログ画像信号に変換し、表示部１１１に逐次転送することによって、電子ビューファインダ（スルー画像表示）としての機能を実現することができる。
【００２６】
不揮発性メモリ１１４は、電気的に消去・記録可能なメモリであり、図示の例では、不揮発性メモリ１１４としてＥＥＰＲＯＭが用いられる。この不揮発性メモリ１１４には、システム制御部１０１の動作用定数および制御プログラム等が記憶されている。この制御プログラムは、例えば、後述する各種動作を実行するためのプログラムである。
【００２７】
システム制御部１０１はカメラ１００全体の制御を司る。システム制御部１０１は、前述の不揮発性メモリ１１４に記録された制御プログラムを実行して、後述する各処理（動作）を実行する。
【００２８】
図示の例では、システムメモリ１１３としてＲＡＭが用いられ、システムメモリ１１３には、システム制御部１０１の動作用定数、変数、そして、不揮発性メモリ１１４から読み出した制御プログラム等が展開される。また、システム制御部１０１はメモリ１０９、Ｄ／Ａ変換器１１０、および表示部１１０等の制御を行い、これによって、表示制御を行う。
【００２９】
システムタイマー（撮影計時手段）１１２は各種制御に用いる時間および内蔵された時計の時間を計測する計時部である。モード切替スイッチ１１７、動画記録トリガボタン１１６、および操作部１１５からは、システム制御部１０１に対して各種の動作指示が入力される。
【００３０】
モード切替スイッチ１１７の操作によって、システム制御部１０１はカメラ１００の動作モードを動画記録モード又は動画再生モード等に切り替える。システム制御部１０１は、動画記録トリガボタン１１６の操作によって、撮像部１０６に対する信号読み出しから記録媒体１２２に画像データを書き込むまでの一連の撮影処理の動作を開始する。
【００３１】
表示部１１１に表示される種々の機能アイコンを選択操作すると、操作部１１５に備えられた各操作部分には、場面毎に適宜機能が割り当てられて、操作部分は機能ボタンとして作用する。
【００３２】
機能ボタンとしては、例えば、メニューボタン、終了ボタン、戻るボタン、画像送りボタン、ジャンプボタン、絞込みボタン、および属性変更ボタン等がある。例えば、メニューボタンが押されると、各種の設定が可能なメニュー画面が表示部２８に表示される。ユーザは、表示部２８に表示されたメニュー画面と４方向ボタンおよびＳＥＴ（設定）ボタンとを用いて直感的に各種設定を行うことができる。
【００３３】
電源制御部１１９は、電池検出回路、ＤＣ−ＤＣコンバータ、および通電するブロックを切り替えるスイッチ回路等により構成され、電池装着の有無、電池の種類、および電池残量の検出を行う。また、電源制御部１１９は、検出結果およびシステム制御部１０１の指示に基づいてＤＣ−ＤＣコンバータを制御し、必要とする電圧を必要な期間、記録媒体１２２を含む各部に供給する。
【００３４】
電源部１２０は、例えば、アルカリ電池又はリチウム電池等の一次電池、ＮｉＣｄ電池、ＮｉＭＨ電池、又はＬｉ電池等の二次電池、そして、ＡＣアダプター等を有している。カメラ１１０はインターフェース１２１によってメモリカード又はハードディスク等の記録媒体１２２と接続される。
【００３５】
記録媒体１２２は、例えば、メモリカード等の記録媒体であり、半導体メモリや磁気ディスク等から構成される。図１に示す記録媒体１２２はカメラ１００に対して取り外し可能であるが、記録媒体１２２はカメラ１００に内蔵されていてもよい。さらには、カメラ１００は取り外し可能な記録媒体１２２と、カメラ内蔵の記録媒体とを備えるようにしてもよい。
【００３６】
ここで、顔検出機能について説明する。システム制御部１０１は顔検出対象である画像データを画像処理部１０２に送る。システム制御部１０１の制御下で、画像処理部１０２は当該画像データに対して水平方向バンドパスフィルタを作用させる。
【００３７】
また、システム制御部１０１の制御下において、画像処理部１０２は水平方向バンドパスフィルタ処理された画像データに対して垂直方向バンドパスフィルタを作用させる。これら水平及び垂直方向のバンドパスフィルタ処理によって、画像データにおいてエッジ成分が検出される。
【００３８】
その後、システム制御部１０１は、検出されたエッジ成分に関してパターンマッチングを行って、目、鼻、口、および耳の候補群を抽出する。そして、システム制御部１０１は、抽出された目の候補群の中から予め設定された条件（例えば、２つの目の距離、傾き等）を満たすものを目の対と判断して、目の対があるもののみを目の候補群として絞り込む。
【００３９】
続いて、システム制御部１０１は、絞り込まれた目の候補群と当該目の候補群に対応する顔を形成する他のパーツ（鼻、口、耳）を対応付けて顔情報とする。さらに、システム制御部１０１は、予め設定された非顔条件フィルタを用いて顔の検出を行う。
【００４０】
システム制御部１０１は、顔の検出結果に応じて上記の顔情報を出力し処理を終了する。この際、システム制御部１０１は顔の数などの特徴量をメモリ１０９に記憶する。
【００４１】
このようにして、ライブビュー表示又は再生表示される画像データについて画像解析を行って、画像データの特徴量を抽出して被写体情報（つまり、顔情報）を検出することができる。なお、上述の例では、被写体情報として顔情報を例に挙げたが、被写体情報としては他にも笑顔検出等の様々な情報がある。
【００４２】
次に手ぶれ検出機能とその補正手法について説明する。
【００４３】
システム制御部１０１の制御下において、画像処理部１０２はデジタル画像信号を一定の時間間隔でサンプリングして、各サンプリング期間において所謂ベクトル検出を行い、ベクトル変化量を手ぶれ量として検出する。そして、画像処理部１０２は手ぶれ量がゼロになるようにデジタル画像信号を切り出して、手ぶれの補正を行う。ここでは、ベクトル検出を用いて手ぶれ補正する手法をベクトル防振と呼ぶ。
【００４４】
カメラ１００が加速度センサ又はジャイロを備えている場合には、当該加速度センサ又はジャイロの出力をデジタル信号に変換することによって手ぶれ量を検出することができる。システム制御部１０１は撮影レンズ１０４を、手ぶれが打ち消される方向に制御して、手ぶれを補正することになる。この手法を光学防振と呼ぶ。ベクトル防振と光学防振とを併用することによって手ぶれ補正の効果を高めることができる。
【００４５】
続いて、操作部１１５について詳細に説明をする。
【００４６】
図示の例では、操作部１１５は表示部１１１に対する接触を検知可能なタッチパネルを有している。そして、当該タッチパネルと表示部１１１とは一体的に構成することができる。例えば、タッチパネルについて、その光透過率が表示部１１１の表示を妨げないようにして、タッチパネルを表示部１１１の表示面に取り付ける。タッチパネルにおける入力座標と表示部１１１上の表示座標とを対応付けると、ユーザが表示部１１１に表示された画面を直接的に操作可能なＧＵＩ（Ｇｒａｐｈｉｃａｌ  Ｕｓｅｒ  Ｉｎｔｅｒｆａｃｅ）を構成することができる。
【００４７】
システム制御部１０１はタッチパネルに対する次の操作を検出する。（１）タッチパネルを指又はペンで触れたこと（以下、タッチダウンという）。（２）タッチパネルを指又はペンで触れている状態であること（以下、タッチオンという）。（３）タッチパネルを指又はペンで触れた状態で移動していること（以下、ムーブという）。（４）タッチパネルに触れていた指又はペンをタッチパネルから離したこと（以下、タッチアップという）。（５）タッチパネルに何も触れていない状態（以下、タッチオフという）。
【００４８】
上記の各操作およびタッチパネルに指又はペンが触れた位置座標は、位置情報としてシステム制御部１０１に送られ、システム制御部１０１は当該位置情報に基づいてタッチパネルでどのような操作が行なわれたかを判定する。
【００４９】
なお、ムーブに関しては、システム制御部１０１はタッチパネル上で移動する指又はペンの移動方向について、位置座標の変化に基づいてタッチパネル上の垂直成分および水平成分を判定する。
【００５０】
さらに、タッチパネルをタッチダウンして、一定のムーブを行ってタッチアップをした際には、ストロークが描かれたことになる。ここで、素早くストロークを描く操作をフリックと呼ぶ。
【００５１】
このフリックは、タッチパネルに指を触れたままある程度の距離だけ素早く動かしてそのまま離すといった操作であり、言い換えれば、タッチパネルを指ではじくように素早くなぞる操作である。システム制御部１０１は、所定の距離以上を所定速度以上でムーブしたことを検出して、その状態でタッチアップを検出するとフリックが行なわれたと判定する。
【００５２】
また、システム制御部１０１は、所定の距離以上を所定速度未満でムーブしたことを検出すると、ドラッグが行なわれたと判定する。なお、タッチパネルは、抵抗膜方式、静電容量方式、表面弾性波方式、赤外線方式、電磁誘導方式、画像認識方式、又は光センサ方式等の様々な方式のうちいずれの方式を用いてもよい。
【００５３】
続いて、映像効果としてタイトルを動画に重畳する手法について説明する。ここでは、タイトルは動画を特定する表示アイテムの１つである。
【００５４】
ユーザは、例えば、タッチパネルを用いてタイトルを手描き文字で入力することができる。ここで、表示部１１１に表示されるＵＩ（ユーザインターフェース）を例に挙げてタイトルの手描き入力およびカメラスルー画にタイトルを重畳する手順について説明する。
【００５５】
図２は図１に示すカメラにおいてタイトルの手描き入力およびカメラスルー画にタイトルを重畳する手順の一例を説明するための図である。そして、図２（ａ）はカメラモードの記録一時停止中に表示部１１１に表示される画面を示す図であり、図２（ｂ）は手描きモードにおいて表示部１１１に表示される画面を示す図である。そして、図２（ｃ）は手描きモードにおいて画面上に描かれた手書きタイトルの一例を示す図であり、図２（ｄ）は手描きタイトルが描かれた状態で手描きモードからカメラモードの記録一時停止状態に戻った際の画面を示す図である。
【００５６】
図２（ａ）に示すカメラモードの記録一時停止中において、ユーザがタッチパネル上の手描きモード切替ボタン２０１を押すと、システム制御部１０１は手描き入力モードに遷移して、図２（ｂ）に示す画面を表示部１１１に表示する。
【００５７】
図２（ｂ）に示す画面には、ペンの種類ボタン２０２、線の太さおよび種類ボタン２０３、色の変更ボタン２０４、そして、読み出しボタン２０５が配置されている。ユーザは、ボタン２０２〜２０４によって任意の設定を行って、画面（つまり、カメラスルー画）上に手描き入力を行う。なお、読み出しボタン２０５は、手描きした内容を画面とともに記録媒体１２２から読み出して表示するためのボタンである。
【００５８】
図２（ｂ）に示す画面上で手描き入力を行うと、システム制御部１０１は手描き入力に応じて、メモリ制御部１０８を介して表示部１１１に図２（ｃ）に示す画面を表示する。この際には、システム制御部１０１は、画面に終了ボタン２０６および保存ボタン２０７を表示する。図２（ｃ）に示す画面において、ユーザが保存ボタン２０７を押すと、システム制御部１０１は手描き入力した内容を画像とともに記録媒体１２２に保存する。
【００５９】
手描き入力が終了した場合に、ユーザが終了ボタン２０６を押すと、システム制御部１０１は手描き入力モードからカメラモードの記録一時停止状態に戻って、手書き内容（手描きタイトル）と画像を表示部１１１に表示する（図２（ｄ））。この際には、当該画面（カメラスルー画）上に消去ボタン２０８が表示される。
【００６０】
そして、図２（ｄ）に示す状態で、ユーザが動画記録トリガボタン１１６を押すと、システム制御部１０１は画像に手描きタイトルが重畳された状態で動画記録を開始する。ユーザが消去ボタン２０８を押すと、システム制御部１０１は画像に重畳されたタイトルを消去する。なお、消去ボタンは記録一時停止中および記録中どちらでの状態においても有効となっている。そして、記録中に、ユーザが消去ボタン２０８を押すと、システム制御部１０１は動画のタイトル重畳を終了する。
【００６１】
次に、図１に示すカメラにおいて手描き重畳記録を行う際のメニュー設定について説明する。
【００６２】
図３は、図１に示すカメラにおいて手描き重畳記録を行う際のメニュー設定を説明するための図である。そして、図３（ａ）はカメラ設定メニュー画面を示す図であり、図３（ｂ）は手描きデータ記録設定画面を示す図である。また、図３（ｃ）は詳細設定画面を示す図である。
【００６３】
いま、図１に示す表示部１１１にカメラ設定メニュー画面（図３（ａ））が表示されているとする。このカメラメニュー設定画面において、ユーザが手描きデータ記録設定３０１を選択すると、システム制御部１０１は、メモリ制御部１０８を介して、図３（ｂ）に示す手描きデータ記録設定画面を表示部１１１に表示する。図３（ｂ）に示す手描きデータ記録設定画面において、ユーザは自動消去設定３０２、最短表示時間３０３、最長表示時間３０４、および消去パラメータを設定することができる。
【００６４】
図３（ｂ）において、自動消去設定３０２は動画に重畳したタイトルを自動消去するか否かの設定である。自動消去設定３０２をオン（ＯＮ）に設定すると、システム制御部１０１は、後述する設定項目の設定状態に準じた条件でタイトルを消去する。一方、自動消去設定３０２をオフ（ＯＦＦ）で設定すると、ユーザが記録中に画面上に表示される消去ボタン２０８を押すと、システム制御部１０１はタイトルを消去する。つまり、ユーザは任意のタイミングでタイトルを消去することができる。
【００６５】
図３（ｂ）に示す詳細設定ボタン３０５を押すと、システム制御部１０１は、表示部１１１に詳細設定画面（別設定画面）を表示する（図３（ｃ）。そして、ユーザは詳細設定画面において消去パラメータを選択することができる。
【００６６】
消去パラメータとはタイトル自動消去するためのカメラ条件（撮影条件又は撮像条件ともいう）を指定するパラメータである。タイトルを動画に重畳している状態からこのカメラ条件（撮影条件）が所定量以上変化すると、後述するように、システム制御部１０１はタイトルの自動消去処理を実行する。
【００６７】
カメラ条件（撮影条件）の変化は被写体およびカメラアングルの変化であるため、特定のカメラ画（画像）を背景にタイトルを重畳した場合に、タイトルを消去する際などに有効である。
【００６８】
図３（ｃ）に示す例では、ユーザは、自動露出（ＡＥ）３０６、オートホワイトバランス（ＡＷＢ）３０７、ズーム３０８、オートフォーカス（ＡＦ）３０９、顔検出３１０、およびパン（カメラパンニング）３１１から一つ又は複数の組み合わせを選択することできる。
【００６９】
図示のボタンを押すと、システム制御部１０１は当該ボタンの色を反転させて選択状態とする。そして、決定ボタン３１２を押すと、システム制御部１０１は手描きデータ記録設定画面（図３（ｂ）を表示部１１１に表示する。
【００７０】
図３（ｂ）において、最短表示時間３０３はタイトル重畳の最低時間を保証するための設定である。タイトル重畳の開始直後に不意にカメラ条件（撮影条件）が変わってしまうと、タイトル表示の効果が十分得られないままタイトルが消えてしまうことがある。このような状態を回避するため最短表示時間３０３の設定が行われる。
【００７１】
最短表示時間３０３は、秒数表示の左右に設けた上下ボタンによって時間を１秒単位で変更することができる。最短表示時間３０３の設定は無効にすることもでき、その場合には、最短表示時間３０３の設定がＯＦＦとされる。
【００７２】
最長表示時間３０４は、カメラ条件が長時間変化しなかった場合にタイトルが重畳されたままの状態となることを防ぐための設定である。最短表示時間と同様に無効有効の切り替えができ、有効時は１秒単位で時間の設定を行うことができる。
【００７３】
なお、最短表示時間は最長表示時間を超えることはなく、両者が同一の時間に設定された場合には、消去パラメータの設定如何にかかわらず、システム制御部１０１は最短表示時間および最長表示時間で設定された設定時間でタイトルを消去する。
【００７４】
図４は、図１に示すカメラにおいて遠景画像がタイトルの背景である場合にタイトル消去を自動実行する際の画面表示を説明するための図である。そして、図４（ａ）は記録一時停止中の画面の一例を示す図であり、図４（ｂ）は手描き入力モードにおいてタイトルを新規作成又は読み出した状態を示す図である。また、図４（ｃ）は記録開始後において背景の画像にタイトルが重畳された動画の１シーンを示す図であり、図４（ｄ）はタイトルの消去処理が行われた後に画面を示す図である。
【００７５】
いま、カメラモードの記録一時停止中において、図４（ａ）に示す画面が表示部１１１に表示されているものとする。この際、図２で説明したようにして、手描き入力モードにおいてタイトルを手描き入力したとする。これによって、図４（ｂ）に示す画面が表示部１１１に表示される。なお、図４（ｂ）に示す画面は図２（ｄ）に示す画面と同一である。
【００７６】
上述のように、手描きタイトルを入力した後、記録開始すると、システム制御部１０１はメモリ制御部１０８を制御して、背景のカメラ画（画像）にタイトルが重畳された状態で動画データを、記録媒体１１２に記録する（図４（ｃ）参照）。
【００７７】
ここで、前述した最低表示時間から最長表示時間までの範囲において人物が画面上に登場すると、システム制御部１０１は前述のようにしてＡＦを無限遠から手前の人物に合焦する。この際、システム制御部１０１はフォーカスの変化によって場面が変化したと判定して、画像上のタイトル消去処理を実行する（図４（ｄ）参照）。
【００７８】
なお、画像にタイトルが重畳された状態で（図４（ｃ）参照）、ユーザが消去ボタン４０１を押すと、システム制御部１０１はタイトルを消去する。
【００７９】
図示の例では、ＡＦの変化をトリガとして画像上からタイトル消去する例について説明したが、人物が登場した際に行われる顔検出をトリガとするようにしてもよい。さらには、アングルの変化による露出又はホワイトバランスの変化、そして、ユーザのズーム操作によるアングルの変化などをトリガとするようにしてもよい。加えて、手ぶれ検出機能を用いてカメラ姿勢の変化に応じてカメラのパンニングおよびチルトなどのカメラの動きを検出して、このカメラの動きをトリガとするようにしてもよい。そして、複数のカメラ条件をトリガとして用いるようにすれば、ユーザの利便性がさらに向上させることができる。
【００８０】
ここで、動画に重畳したタイトルの消去について詳細に説明する。
【００８１】
図５は、図１に示すカメラにおいて動画に重畳されたタイトルの消去を説明するためのフローチャートである。
【００８２】
図１および図５を参照して、いま、図２に関連して説明したようにして、動画にタイトルが重畳されているものとする。まず、システム制御部１０１は、メニューにおいて自動消去設定が設定されているか否かについて判定する（ステップＳ５０１）。
【００８３】
自動消去設定がされていない（ＯＦＦ）と（ステップＳ５０１において、ＮＯ）、システム制御部１０１は手動消去である消去ボタンが押されたか否かを判定する（ステップＳ５０２）。消去ボタンが押されないと（ステップＳ５０２において、ＮＯ）、システム制御部１０１は待機する。
【００８４】
消去ボタンが押されると（ステップＳ５０２において、ＹＥＳ）、システム制御部１０１は、前述したようにして、タイトルの消去処理を実行して（ステップＳ５０３）、処理を終了する。
【００８５】
自動消去設定がされている（ＯＮ）と（ステップＳ５０１において、ＹＥＳ）、システム制御部１０１は、現在記録中（動画撮影中）であるか否かについて判定する（ステップＳ５０４）。動画記録中であると（ステップＳ５０４において、ＹＥＳ）、システム制御部１０１はタイトル入力中であるか否かについて判定する。つまり、システム制御部１０１は手描き入力モード（タイトル入力モード）であるか否かについて判定する（ステップＳ５０５）。
【００８６】
タイトル入力モードであると（ステップＳ５０５において、ＹＥＳ）、自動消去は行われないため、システム制御部１０１はタイトル入力モードから復帰するまでタイトルを表示した状態を保持する。そして、システム制御部１０１はステップＳ５０４の処理に戻る。
【００８７】
一方、タイトル入力モードでないと（ステップＳ５０５において、ＮＯ）、システム制御部１０１は消去ボタンが押されたか否かについて判定する（ステップＳ５０６）。消去ボタンが押されると（ステップＳ５０６において、ＹＥＳ）、手動での消去は自動消去設定よりも優先順位が高いので、システム制御部１０１はステップＳ５０３に移行してタイトルの消去処理を実行する（ステップＳ５０７）。
【００８８】
消去ボタンが押されないと（ステップＳ５０６において、ＮＯ）、システム制御部１０１は自動消去条件判別処理を実行する（ステップＳ５０７）。この自動消去条件判別処理については後述する。
【００８９】
続いて、システム制御部１０１は自動消去条件判別処理の結果に応じて自動消去条件が成立したか否かについて判定する（ステップＳ５０８）。そして、自動消去条件が成立すると（ステップＳ５０８において、ＹＥＳ）、システム制御部１０１はステップＳ５０３に移行して、自動消去条件が成立した時点で（つまり、撮影条件が変更された変更時点で）タイトルの消去処理を行う。
【００９０】
一方、自動消去条件が成立しないと（ステップＳ５０８において、ＮＯ）、システム制御部１０１はステップＳ５０４に戻って、処理を続行する。
【００９１】
なお、ステップＳ５０４において、動画記録中でないと（ステップＳ５０４において、ＮＯ）、システム制御部１０１は消去ボタンが押されたか否かについて判定する（ステップＳ５０９）。そして、消去ボタンが押されれば（ステップＳ５０９において、ＹＥＳ）、システム制御部１０１はステップＳ５０３に移行して、タイトルの消去処理を行う。
一方、消去ボタンが押さないと（ステップＳ５０９において、ＮＯ）、システム制御部１０１はステップＳ５０４に戻って、処理を続行する。
【００９２】
図６は、図５に示す自動消去条件判別処理を詳細に説明するためのフローチャートである。
【００９３】
図１および図６を参照して、自動消去条件判別処理を開始すると、システム制御部１０１はシステムタイマー１１２からタイトルの重畳記録（重畳撮影）が始まってからの経過時間（計時時間）を取得する（ステップＳ６０１）。そして、システム制御部１０１は当該経過時間が最短表示時間（つまり、所定の時間）を満たしているか否かについて判定する（ステップＳ６０２）。
【００９４】
経過時間が最短表示時間を満たしていないと、つまり、経過時間が第１の所定の時間以下であると（ステップＳ６０２において、ＮＯ）、経過時間が最短表示時間に達するまではタイトルの消去が禁止されるため、システム制御部１０１は自動消去条件が不成立であると判定して（ステップＳ６０３）、自動消去条件判別処理を終了する。そして、システム制御部１０１は図５に示すステップＳ５０８に進む。
【００９５】
経過時間が最短表示時間を超えていると（ステップＳ６０２において、ＹＥＳ）、システム制御部１０１は経過時間が最長表示時間未満であるか否かについて判定する（ステップＳ６０４）。経過時間が最長表示時間以上（第２の所定の時間以上）であると（ステップＳ６０４において、ＮＯ）、システム制御部１０１は、自動消去条件が成立したと判定して（ステップＳ６０５）、自動消去条件判別処理を終了する。
【００９６】
経過時間が最長表示時間未満であると（ステップＳ６０４において、ＹＥＳ）、つまり、経過時間が最短表示時間以上で最長表示時間未満であると、システム制御部１０１は、次のようにして、カメラ条件（撮影条件）が成立したかの判定を順次行う。
【００９７】
まず、システム制御部１０１は、ＡＥ（露出）が変更されたか否かについて判定する（ステップＳ６０６）。ここでは、システム制御部１０１はシャッタースピード値、絞り値、ＮＤフィルターの状態、および撮像画像のゲイン値に応じてＡＥが変更されたか否かについて判定する。
【００９８】
例えば、露出の変化量が所定の露出変化量よりも変化すると、システム制御部１０１はＡＥが変更されたと判定する。そして、ＡＥが変更されたと判定すると（ステップＳ６０６において、ＹＥＳ）、システム制御部１０１はステップＳ６０５に進んで、自動消去条件が成立したと判定する。
【００９９】
一方、ＡＥが変更されていないと判定すると（ステップＳ６０６において、ＮＯ）、システム制御部１０１はＡＦによるフォーカス位置が変化したか否かについて判定する（ステップＳ６０７）。例えば、フォーカス位置の変化量が所定のフォーカス変化量よりも変化すると、システム制御部１０１はフォーカス位置が変更されたと判定する。そして、フォーカス位置が変更されたと判定すると（ステップＳ６０７において、ＹＥＳ）、システム制御部１０１はステップＳ６０５に進んで、自動消去条件が成立したと判定する。
【０１００】
フォーカス位置が変更されていないと判定すると（ステップＳ６０７において、ＮＯ）、システム制御部１０１はＡＷＢが変化したか否かについて判定する（ステップＳ６０８）。ここでは、システム制御部１０１はカメラ画（画像）の色信号の変化に伴ってホワイトバランスの設定パラメータが変更されたか否かを判定する。
【０１０１】
例えば、ホワイトバランスの変化量が所定のホワイトバランス変化量よりも変化すると、システム制御部１０１はＡＷＢが変化したと判定する。そして、ＡＷＢが変化したと判定すると（ステップＳ６０８において、ＹＥＳ）、システム制御部１０１はステップＳ６０５に進んで、自動消去条件が成立したと判定する。
【０１０２】
ＡＷＢが変化していないと判定すると（ステップＳ６０８において、ＮＯ）、システム制御部１０１はズームが変化したか否かについて判定する（ステップＳ６０９）。ここでは、システム制御部１０１は、ユーザが操作部１１５を操作して、ズームレンズの位置が変化したか否かについて判定する。例えば、ズームレンズの位置の変化量が所定のズーム変化量よりも変化すると、システム制御部１０１はズームが変化したと判定する。
【０１０３】
ズームが変化したと判定すると（ステップＳ６０９において、ＹＥＳ）、システム制御部１０１はステップＳ６０５に進んで、自動消去条件が成立したと判定する。ズームが変化していないと判定すると（ステップＳ６０９において、ＮＯ）、システム制御部１０１は顔が検出されたかについて判定する（ステップＳ６１０）。
【０１０４】
顔が検出されると（ステップＳ６１０において、ＹＥＳ）、システム制御部１０１はステップＳ６０５に進んで、自動消去条件が成立したと判定する。一方、顔が検出されないと（ステップＳ６１０において、ＮＯ）、システム制御部１０１は手ぶれ検出機能を用いてカメラの動きを判別して、横方向のカメラの振りであるパンニング、上下方向のカメラの振りであるチルト、又はカメラの回転があったか否かを判定する（ステップＳ６１１：パンニング）。
【０１０５】
パンニングなどがあると（ステップＳ６１１において、ＹＥＳ）、システム制御部１０１はカメラアングルが動いたと判定して、ステップＳ６０５に進んで自動消去条件が成立したとする。一方、パンニングなどがないと（ステップＳ６１１において、ＮＯ）、システム制御部１０１はステップＳ６０３に進んで、自動消去条件が不成立であると判定する。
【０１０６】
このようにして、システム制御部１０１は自動消去条件判別処理を行うが、図６に示すＳ６０６〜Ｓ６１０の処理については、その順序はどうのようにしてもよい。
【０１０７】
また、上述の説明では、自動消去条件判別処理を行う際、上述したカメラ条件の全てと最短表示時間および最長表示時間とについての条件判定を行ったが、前述のように、これら有効無効をメニューから設定すれば、自動消去設定が行われている場合には、当該メニュー設定された項目のみで自動消去条件判別処理が行われることになる。
【０１０８】
前述の各項目が無効（ＯＦＦ）に設定されている場合には、結果的に図６に示すＳ６０２およびＳ６０４において、システム制御部１０１はＹＥＳの判定を行い、ステップＳ６０６〜Ｓ６１１において、システム制御部１０１はＮＯの判定を行うことになる。結果的に、システム制御部１０１は自動消去条件判別処理を行わないことになる。
【０１０９】
なお、前述したように、カメラ条件に係る判断を行う際には、ノイズおよびハードウェアの特性などによる瞬間的な変動および微小な変化を考慮して、カメラ条件が所定の値を越えた際に、システム制御部１０１はカメラ条件が変化したと判定することになる。
【０１１０】
上述の実施の形態では、カメラ条件の一つが成立すれば自動消去条件の成立と判定するようにしたが、複数のカメラ条件が同時に成立した場合に、自動消去条件が成立したと判定するようにしてもよい。
【０１１１】
以上のように、本実施形態によれば、ユーザが特別な操作をすることなく、撮影条件が変更されると、タイトルなどの表示アイテムを自動的に消去するようにしたので、被写体の動きに拘わらずユーザの意図するタイミングで動画に重畳された映像効果を消去することができる。
【０１１２】
なお、上述の説明では、タッチパネルによって、タイトルなどの表示アイテムを入力するようにしたが、表示アイテムを入力する際には、別の入力装置を用いるようにしてもよい。
【０１１３】
さらに、上述の例では、動画撮影中において、動画に重畳されたタイトルなどの表示アイテムは動画とともに記録媒体に記録されるとしたが、表示アイテムと動画とを別に記録するようにしてもよい。例えば、表示アイテムを動画撮影の際に表示される時間情報とともに、動画（動画ファイル）とは別のイメージ情報として記憶する。そして、動画再生の際、システム制御部１０１および画像処理部１０２は時間情報に基づいて表示アイテムと動画とを合成して（つまり、動画に表示アイテムを重畳させて）、再生表示するようにしてもよい。
【０１１４】
上述の説明から明らかなように、図１において、操作部１０８および表示部１１１がアイテム入力手段として機能し、システム制御部１０１およびメモリ制御部１０８が重畳手段として機能する。また、システム制御部１０１およびメモリ制御部１０８は消去制御手段としても機能する。また、ここでは、例えば、記録媒体１２１、メモリ制御部１０８、およびシステム制御部１０１は、表示アイテムが重畳された動画像を記録する記録手段として機能することになる。
【０１１５】
さらに、システム制御部１０１、画像処理部１０２、およびレンズ１０４はフォーカス制御手段として機能し、システム制御部１０１はフォーカス判定手段として機能する。加えて、システム制御部１０１はズーム制御手段およびズーム判定手段として機能する。
【０１１６】
また、シャッター１０５、画像処理部１０２、およびシステム制御部１０１は露出制御手段として機能し、システム制御部１０１は露出判定手段として機能する。そして、システム制御部１０１および画像処理部１０２はホワイトバランス制御手段およびホワイトバランス判定手段として機能する。
【０１１７】
加えて、システム制御部１０１および画像処理部１０２は顔検知手段として機能し、システム制御部１０１は顔判定手段として機能する。また、ジャイロなどの動き検知部とシステム制御部１０１とは動き検知手段として機能し、システム制御部１０１は動き判定手段として機能する。
【０１１８】
また、操作部１１５および表示部１１１は時間設定手段、自動消去設定手段、消去入力手段（消去ボタン）として機能する。
【０１１９】
以上、本発明について実施の形態に基づいて説明したが、本発明は、これらの実施の形態に限定されるものではなく、この発明の要旨を逸脱しない範囲の様々な形態も本発明に含まれる。
【０１２０】
例えば、上記の実施の形態の機能を制御方法として、この制御方法を、カメラに実行させるようにすればよい。また、上述の実施の形態の機能を有する制御プログラムを、カメラが備えるコンピュータに実行させるようにしてもよい。
【０１２１】
この際、制御方法及び制御プログラムの各々は、少なくともアイテム入力ステップ、重畳ステップ、および消去制御ステップを有することになる。なお、制御プログラムは、例えば、コンピュータに読み取り可能な記録媒体に記録される。
【０１２２】
なお、システム制御部１０１の制御は１つのハードウェアが行ってもよいし、複数のハードウェアが処理を分担することで、装置全体の制御を行ってもよい。
【０１２３】
また、上述した実施形態においては、本発明をデジタルビデオカメラに適用した場合を例にして説明したが、他の撮像装置であっても動画像を撮影記録する撮像装置であれば同様にして適用できる。例えば、カメラ付の携帯電話端末においても適用することができる。
【０１２４】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１２５】
１０１  システム制御部
１０２  画像処理部
１０６  撮像部
１０８  メモリ制御部
１１１  表示部
１１２  システムタイマー
１１５  操作部
１１６  動画記録トリガボタン
１１７  モード切替スイッチ
【図１】
0005733956.tif 000002
【図２】
0005733956.tif 000003
【図３】
0005733956.tif 000004
【図４】
0005733956.tif 000005
【図５】
0005733956.tif 000006
【図６】
0005733956.tif 000007